(57)【要約】【課題】折畳み式携帯電話機を簡単に開き操作が行えると共に、開き操作を行うボタンができるだけ外観に露出しないようにして見映えのよいものとする。【解決手段】折畳み式携帯電話機（折畳み式携帯端末）に、第１の筐体３と、第２の筐体５と、これら第１の筐体３と第２の筐体５とを折り畳み開閉自在に連結するヒンジ部６とを設ける。そして、第１の筐体３と第２の筐体５とを閉じた状態から、第１の筐体３を第２の筐体５に対して揺動させることで、第１の筐体３が第２の筐体５に対して自動的に開くようにする。【選択図】図５
2010103889.tif 000002
【特許請求の範囲】
【請求項１】
第１の筐体と、第２の筐体と、該第１の筐体と第２の筐体とを折り畳み開閉自在に連結するヒンジ部とを備えた折畳み式携帯端末において、
上記第１の筐体と第２の筐体とを閉じた状態から、該第１の筐体を第２の筐体に対して揺動させることで、該第１の筐体が第２の筐体に対して自動的に開くように構成されている
ことを特徴とする折畳み式携帯端末。
【請求項２】
請求項１に記載の折畳み式携帯端末において、
上記ヒンジ部は、
上記第２の筐体のヒンジ部側角部の表面から該第２の筐体の厚さ方向へ膨出する一対の外側ボス部と、
上記第１の筐体のヒンジ部側端部から水平に膨出し、上記一対の外側ボス部に挟持される内側ボス部と、
上記一対の外側ボス部の一方と、上記内側ボス部とに挿通された第１水平ヒンジ軸と、
上記一対の外側ボス部の他方と、上記内側ボス部とに挿通された第２水平ヒンジ軸と、
上記第１水平ヒンジ軸内に設けられ、上記第１の筐体と第２の筐体とを開く方向に付勢すると共に、付勢力を蓄えた状態でロック可能な開操作補助用付勢機構と、
上記第１水平ヒンジ軸に設けられ、上記開操作補助用付勢部材のロックを解除するためのヒンジ側ボタンと、
上記第１の筐体と上記内側ボス部とを連結する垂直ヒンジ軸と、
上記垂直ヒンジ軸の先端側に設けられ、上記第１の筐体の厚さ方向に伸びる揺動軸と、
を備え、
上記第１の筐体は、上記揺動軸に対して揺動可能に支持され、
上記一方の外側ボス部には、上記第１の筐体を揺動させたときに、該第１の筐体の上記ヒンジ部側端部に押されることでスライドし、上記ヒンジ側ボタンを押すロック解除用ボタンが設けられている
ことを特徴とする折畳み式携帯端末。
【請求項３】
請求項２に記載の折畳み式携帯端末において、
上記第１の筐体の上記ヒンジ部側端部における少なくとも上記一方の外側ボス部側には、上記垂直ヒンジ軸の軸心から離れるにつれて上記ヒンジ部と隙間を拡げるように傾斜する揺動用テーパ面が形成されている
ことを特徴とする折畳み式携帯端末。
【請求項４】
請求項３に記載の折畳み式携帯端末において、
上記第１の筐体の上記ヒンジ部側端部の両側に上記揺動用テーパ面が形成され、
上記他方の外側ボス部には、上記ロック解除用ボタンと同様に該外側ボス部から露出する、押し込み不能なダミーボタンが設けられている
ことを特徴とする折畳み式携帯端末。
【請求項５】
請求項２乃至４のいずれか１つに記載の折畳み式携帯端末において、
上記垂直ヒンジ軸には、揺動されて上記ロック解除用ボタンを押し込んだ上記第１の筐体を元の位置に戻すための引き戻し機構が設けられている
ことを特徴とする折畳み式携帯端末。
【請求項６】
請求項５に記載の折畳み式携帯端末において、
上記引き戻し機構は、一端が上記垂直ヒンジ軸に連結され、他端が上記第１の筐体に連結された引張コイルバネを含む
ことを特徴とする折畳み式携帯端末。
【請求項７】
請求項２乃至６のいずれか１つに記載の折畳み式携帯端末において、
上記ヒンジ側ボタンは、上記第１水平ヒンジ軸の軸方向に伸び、該ヒンジ側ボタンを押圧することで、上記開操作補助用付勢機構のロックを解除可能に構成され、
上記ロック解除用ボタンは、
上記一方の外側ボス部から露出して上記第１の筐体のヒンジ部側端部に押し込まれる被押圧部と、
上記被押圧部から上記ヒンジ側ボタンへ伸びると共に、該ヒンジ側ボタンを上記第１水平ヒンジ軸の軸方向へ押圧する押圧用テーパ部と、
上記ロック解除用ボタンを押し戻して上記被押圧部を露出させる押し戻し用付勢部材と、
を備えている
ことを特徴とする折畳み式携帯端末。
【請求項８】
請求項２乃至７のいずれか１つに記載の折畳み式携帯端末において、
上記第１の筐体は、上記垂直ヒンジ軸を中心に表裏反転可能に構成されている
ことを特徴とする折畳み式携帯端末。
【請求項９】
請求項２乃至８のいずれか１つに記載の折畳み式携帯端末において、
上記第１の筐体の表面には、表示部が設けられ、
上記第２の筐体の表面には、操作部が設けられている
ことを特徴とする折畳み式携帯端末。
【請求項１０】
請求項２乃至９のいずれか１つに記載の折畳み式携帯端末において、
上記第２水平ヒンジ軸及び上記垂直ヒンジ軸は、中空に形成され、該第２水平ヒンジ軸及び垂直ヒンジ軸には、上記第１の筐体内の基板と上記第２の筐体内の基板とを電気的に接続する信号線が挿通されている
ことを特徴とする折畳み式携帯端末。
【発明の詳細な説明】
【技術分野】
【０００１】
本発明は、折畳み式携帯端末に関し、特にその自動開閉構造に関する。
【背景技術】
【０００２】
従来より、折畳み式携帯電話機では、片手で下筐体を持ち、他方の手で上筐体を持ち上げてヒンジ部を中心に開くようになっており、両手を使って開くのが一般的であった。
【０００３】
しかし、両手を使って開くのが面倒な場合があり、片手だけでワンタッチで開き操作を行いたいというニーズが増えていた。
【０００４】
そこで、例えば特許文献１の折畳み式携帯電話機は、第１筐体と、第２筐体と、第１筐体に固定され、第２筐体を第１筐体に回転自在に連結するためのヒンジ部とを備え、ヒンジ部は、操作部を備え、第２筐体は、操作部の操作に応じて、閉じられた状態を示す第１角度位置から予め決められた角度位置を示す第２角度位置まで開き、操作部の操作がないとき、第１角度位置、第２角度位置、第１角度位置と第２角度位置との間の第３角度位置のいずれか一方の角度位置に維持されるというフリーストップ機能とワンタッチオープン機能とを選択的に利用している。
【０００５】
また、特許文献２の折畳み式携帯電話機は、上筐体及び下筐体と、上筐体及び下筐体の境界線に沿って配置された回動軸を中心として上筐体及び下筐体を相対的に回動可能に連結する連結部と、上下の筐体を自動的に開くワンプッシュ自動開き機構と、ワンプッシュ自動開き機構を操作して上下の筐体を開く解除手段とを備え、解除手段の第１操作部及び第２操作部をそれぞれ連結部の両端部に設け、第１操作部及び第２操作部を連動可能とし、使用者の嗜好や使用する形態、状況等に対応して、各操作部を選択的に操作可能としている。
【特許文献１】特開２００２−３４４５９７号公報
【特許文献２】特開２００６−３２４９２７号公報
【発明の開示】
【発明が解決しようとする課題】
【０００６】
しかしながら、上記特許文献１及び２は、いずれもワンタッチオープンさせるための操作部をヒンジ部の両端に設け、この操作部を押すことでワンタッチオープンが実行されるが、この操作部がヒンジ部の両側面から露出して見映えが悪くなるという問題がある。
【０００７】
本発明は、かかる点に鑑みてなされたものであり、その目的とするところは、簡単に開き操作が行えると共に、開き操作を行うボタンができるだけ外観に露出しないようにして見映えをよくすることにある。
【課題を解決するための手段】
【０００８】
上記の目的を達成するために、この発明では、第１の筐体を揺動させてヒンジ部を中心に開く操作を行うようにした。
【０００９】
具体的には、第１の発明では、第１の筐体と、第２の筐体と、該第１の筐体と第２の筐体とを折り畳み開閉自在に連結するヒンジ部とを備えた折畳み式携帯端末を前提とし、
上記折畳み式携帯端末は、上記第１の筐体と第２の筐体とを閉じた状態から、該第１の筐体を第２の筐体に対して揺動させることで、該第１の筐体が第２の筐体に対して自動的に開くように構成されている。
【００１０】
上記の構成によると、従来のようにヒンジ部の側面にロックを解除するための操作ボタンを設ける必要がないので、外観がよく、また、第１の筐体を揺動させるだけで第１の筐体が自動的に開き、第１の筐体のどの部分を押してもよいので、従来のようにヒンジ部に設けたロック解除用ボタンを手探りして操作するのに比べて開操作が極めて容易である。
【００１１】
第２の発明では、第１の発明において、
上記ヒンジ部は、
上記第２の筐体のヒンジ部側角部の表面から該第２の筐体の厚さ方向へ膨出する一対の外側ボス部と、
上記第１の筐体のヒンジ部側端部から水平に膨出し、上記一対の外側ボス部に挟持される内側ボス部と、
上記一対の外側ボス部の一方と、上記内側ボス部とに挿通された第１水平ヒンジ軸と、
上記一対の外側ボス部の他方と、上記内側ボス部とに挿通された第２水平ヒンジ軸と、
上記第１水平ヒンジ軸内に設けられ、上記第１の筐体と第２の筐体とを開く方向に付勢すると共に、付勢力を蓄えた状態でロック可能な開操作補助用付勢機構と、
上記第１水平ヒンジ軸に設けられ、上記開操作補助用付勢部材のロックを解除するためのヒンジ側ボタンと、
上記第１の筐体と上記内側ボス部とを連結する垂直ヒンジ軸と、
上記垂直ヒンジ軸の先端側に設けられ、上記第１の筐体の厚さ方向に伸びる揺動軸と、
を備えている。
【００１２】
そして、上記第１の筐体は、上記揺動軸に対して揺動可能に支持され、
上記一方の外側ボス部には、上記第１の筐体を揺動させたときに、該第１の筐体の上記ヒンジ部側端部に押されることでスライドし、上記ヒンジ側ボタンを押すロック解除用ボタンが設けられる構成とする。
【００１３】
上記の構成によると、ロック解除用ボタンは、ヒンジ部と第１の筐体のヒンジ部側端部との間に露出しているので、従来のようにヒンジ部の側面に露出する場合に比べて外観がよく、また、第１の筐体を揺動させてロック解除用ボタンを押圧するようにすれば、第１の筐体のどの部分を押してもよいので、従来のようにヒンジ部に設けたロック解除用ボタンを手探りして操作するのに比べて開操作が極めて容易である。
【００１４】
第３の発明では、第２の発明において、
上記第１の筐体の上記ヒンジ部側端部は、上記垂直ヒンジ軸の軸心から離れるにつれて上記ヒンジ部と隙間を拡げるように傾斜する揺動用テーパ面が形成されている。
【００１５】
上記の構成によると、揺動用テーパ面を設けることで、第１の筐体が揺動するスペースが確保され、指で第１の筐体を揺動させやすくなり、開操作がさらに容易となる。
【００１６】
第４の発明では、第３の発明において、
上記第１の筐体の上記ヒンジ部側端部の両側に上記揺動用テーパ面が形成され、
上記他方の外側ボス部には、上記ロック解除用ボタンと同様に該外側ボス部から露出する、押し込み不能なダミーボタンが設けられている。
【００１７】
上記の構成によると、左右対称にテーパ面とボタンとを設けることで見映えがよくなり、また、そのように構成してもダミーボタン自体は押し込まれないので、第１の筐体の揺動方向を操作し間違えるのが防止される。
【００１８】
第５の発明では、第２乃至第４のいずれか１つの発明において、
上記垂直ヒンジ軸には、揺動されて上記ロック解除用ボタンを押し込んだ上記第１の筐体を元の位置に戻すための引き戻し機構が設けられている。
【００１９】
上記の構成によると、引き戻し機構により、第１の筐体を揺動させた後に元の位置に戻るので、引き戻し操作が不要となる。また、引き戻し機構の引張力を調整することで軽い衝撃のみで第１の筐体が揺動してロック解除用ボタンが押されるという誤動作が防止される。
【００２０】
第６の発明では、第２乃至第５のいずれか１つの発明において、
上記引き戻し機構は、一端が上記垂直ヒンジ軸に連結され、他端が上記第１の筐体に連結された引張コイルバネを含む。
【００２１】
上記の構成によると、引張コイルバネは、伸縮動作しか行わないので、必要とするスペースが小さく、コイル数を増やしても、コイルの外径を大きくしない限り第１の筐体の厚さは変わらないので、厚さを抑えながら引張力を強くすることが可能となる。
【００２２】
第７の発明では、第２乃至第６のいずれか１つの発明において、
上記ヒンジ側ボタンは、上記第１水平ヒンジ軸の軸方向に伸び、該ヒンジ側ボタンを押圧することで、上記開操作補助用付勢機構のロックを解除可能に構成され、
上記ロック解除用ボタンは、
上記一方の外側ボス部から露出して上記第１の筐体のヒンジ部側端部に押し込まれる被押圧部と、
上記被押圧部から上記ヒンジ側ボタンへ伸びると共に、該ヒンジ側ボタンを上記第１水平ヒンジ軸の軸方向へ押圧する押圧用テーパ部と、
上記ロック解除用ボタンを押し戻して上記被押圧部を露出させる押し戻し用付勢部材と、
を備えている。
【００２３】
上記の構成によると、被押圧部のみが露出するので外観がよく、また、被押圧部の進行方向がヒンジ側ボタンの押圧方向と違っていても、押圧用テーパ部の作用により簡単な構成で確実にヒンジ側ボタンが、その押圧方向に押圧される。
【００２４】
第８の発明では、第２乃至第７のいずれか１つの発明において、
上記第１の筐体は、上記垂直ヒンジ軸を中心に表裏反転可能に構成されている。
【００２５】
上記の構成によると、表裏反転可能な第１の筐体を備える場合でも、簡単な構成で見映えのよい開き操作が容易な折畳み式携帯端末が得られる。
【００２６】
第９の発明では、第２乃至第８のいずれか１つの発明において、
上記第１の筐体の表面には、表示部が設けられ、
上記第２の筐体の表面には、操作部が設けられている。
【００２７】
上記の構成によると、待機時は傷が入りやすい表示部を内側にして第１の筐体を閉じておき、使用時には第１の筐体を揺動させるだけで開くので、使い勝手がよい。
【００２８】
第１０の発明では、第２乃至第９のいずれか１つの発明において、
上記第２水平ヒンジ軸及び上記垂直ヒンジ軸は、中空に形成され、該第２水平ヒンジ軸及び垂直ヒンジ軸には、上記第１の筐体内の基板と上記第２の筐体内の基板とを電気的に接続する信号線が挿通されている。
【００２９】
上記の構成によると、ヒンジ部内に信号線を通す簡単な構成で第１の筐体と第２の筐体とを電気的に接続しながら、第１の筐体を揺動させるだけで第１の筐体を開くことができる。
【発明の効果】
【００３０】
以上説明したように、本発明によれば、第１の筐体を第２の筐体に対して揺動させることで、第１の筐体と第２の筐体とを閉じた状態から第１の筐体が第２の筐体に対して自動的に開くようにしたことにより、簡単に開き操作が行えると共に、開き操作を行うボタンができるだけ外観に露出しないようにして見映えをよくすることができる。
【発明を実施するための最良の形態】
【００３１】
以下、本発明の実施形態を図面に基づいて説明する。
【００３２】
図１〜図５に本発明の実施形態にかかる折畳み式携帯端末としての折畳み式携帯電話機１を示し、この折畳み式携帯電話機１は、表面に表示部２を備えた第１の筐体３と、表面に操作部４を備えた第２の筐体５とを備えている。これら第１の筐体３と第２の筐体５とは、ヒンジ部６で折り畳み開閉自在に連結されている。第１の筐体３と第２の筐体５とは、共に略矩形板形状を有し、閉じられた状態で略直方体となって携帯が容易となっている。なお、本実施形態では、説明の都合上、図４における上下左右を折畳み式携帯電話機１の上下左右としている。
【００３３】
そして、ヒンジ部６は、第２の筐体５のヒンジ部６側の角部表面から第２の筐体５の厚さ方向へ（表面側へ）膨出する一対の外側ボス部１０を有している。また、第１の筐体３のヒンジ部６側端部には、水平、すなわち第１の筐体３の長手方向に膨出して一対の外側ボス部１０に挟持される内側ボス部１１が形成されている。
【００３４】
図６〜図８では、見やすくするために第１の筐体３及びヒンジ部６の内部を見えるようにしている。図６〜図８に示すように、これら一対の外側ボス部１０、内側ボス部１１及び第１の筐体３内に金属製のヒンジユニット１２が内蔵されている。ヒンジユニット１２は、右側の外側ボス部１０と、内側ボス部１１とに挿通された第１水平ヒンジ軸１３を備えている。この第１水平ヒンジ軸１３は、樹脂等よりなる外筒１３ａと、中心軸（後述するヒンジ側ボタン１５と一体）とが互いに相対回転可能に構成されている。外筒１３ａ内には、第１の筐体３と第２の筐体５とを開く方向に付勢すると共に、付勢力を蓄えた状態でロック可能な開操作補助用付勢機構（図示せず）が設けられている。第１水平ヒンジ軸１３には、ヒンジ側ボタン１５が右側へ突出している。ヒンジ側ボタン１５は、一対の平坦面が対向する位置に配されるように面取りされている。この第１水平ヒンジ軸１３の軸方向に伸びるヒンジ側ボタン１５を押圧することで、開操作補助用付勢機構のロックを解除可能に構成されている。
【００３５】
ヒンジユニット１２は、このヒンジ側ボタン１５の形状に合わせた貫通孔を一方の右側アーム部１６ａに有する略コ字状のベース部１６を備えている。このベース部１６の反対側の左側アーム部１６ｂの貫通孔には、第２水平ヒンジ軸１７の左端がかしめ結合されている。
【００３６】
ヒンジユニット１２は、内側ボス部１１に内蔵される、ベース部１６よりも幅が狭い略コ字状の回動部１８を有している。回動部１８の一方の右側アーム１８ａには、第１水平ヒンジ軸１３の外筒１３ａが回転不能に連結されている。また、第２水平ヒンジ軸１７の右端は、回動部１８の他方のアーム１８ｂに挿通され、その先端がかしめられている。
【００３７】
回動部１８の中央部分の貫通孔１８ｃには、垂直ヒンジ軸２０が回転自在に挿通されている。垂直ヒンジ軸２０の基端側には鍔部２１が形成され、この鍔部２１には他の部分よりも外径が大きくなるように突起２１ａが設けられている。この鍔部２１の小径の部分に合わせた凹部１９ａを有するこの回動規制部材１９が回動部１８の中央部分にビス１９ｂによってネジ止めされている。この回動規制部材１９が突起２１ａに当接することで第１の筐体３の回動範囲が１８０°に制限されている。このことで、図３に示すように、外観上、第１の筐体３と内側ボス部１１とが垂直ヒンジ軸２０で連結されて、第１の筐体３は、垂直ヒンジ軸２０を中心に表裏反転可能に構成されている。
【００３８】
また、第２水平ヒンジ軸１７及び垂直ヒンジ軸２０は、それぞれ中心に貫通孔１７ａ，２０ａを有し、これら貫通孔１７ａ，２０ａには、第１の筐体３内の基板と第２の筐体５内の基板とを電気的に接続する信号線（共に図示せず）が挿通されている。このように簡単な構成で、第１の筐体３と第２の筐体５との開閉操作を阻害することなく、両基板が電気的に接続されている。
【００３９】
垂直ヒンジ軸２０の先端側は、側面視Ｌ字状の揺動軸取付部２２が回転不能に連結されている。そして、この揺動軸取付部２２には、第１の筐体３の厚さ方向に伸びる揺動軸２３が回転可能に連結されている。
【００４０】
揺動軸２３の先端には、第１の筐体３にビス等によって取り付けられる取付部２４が回転不能に結合されている。このことで、図５に矢印で示すように、第１の筐体３は、揺動軸２３を中心に外観上内側ボス部１１に対して揺動可能に支持されている。
【００４１】
第１の筐体３のヒンジ部６側端部には、垂直ヒンジ軸２０の軸心から離れるにつれてヒンジ部６と隙間を拡げるように、すなわち、左右外側へ向かって下方へ傾斜する揺動用テーパ面３ａが左右対象に形成されている。このため、第１の筐体３のヒンジ部６側端部は、平面視でハの字状に形成されている。
【００４２】
右側の外側ボス部１０には、第１の筐体３を揺動させたときに、第１の筐体３のヒンジ部６側の端部（揺動用テーパ面３ａ）に押されることでスライドし、ヒンジ側ボタン１５を押すロック解除用ボタン３０が設けられている。同様に左側の外側ボス部１０には、ロック解除用ボタン３０と同様に外側ボス部１０から露出する、押し込み不能なダミーボタン３１が設けられている。
【００４３】
ロック解除用ボタン３０は、右側の外側ボス部１０から露出して揺動用テーパ面３ａに押し込まれる第１被押圧部３０ａを備えている。ダミーボタン３１も左側の外側ボス部１０から露出して揺動用テーパ面３ａに押し込まれる第２被押圧部３１ａを備えている。これら第１被押圧部３０ａと第２被押圧部３１ａとは、いずれも揺動用テーパ面３ａに合わせたテーパ面を有し、第１の筐体３が中心位置にあるときには、いずれも揺動用テーパ面３ａに当接している。そして、ダミーボタン３１は、第２被押圧部３１ａが左側の外側ボス部１０に固定された押し込み不能状態であることから、図５に矢印で示すように、第１の筐体３は、中央位置からは右側にのみ揺動可能となっている。
【００４４】
ロック解除用ボタン３０は、第１被押圧部３０ａからヒンジ側ボタン１５へ伸びる押圧用テーパ部３０ｂを備えている。押圧用テーパ部３０ｂは、先端に向かって右側へ傾斜する誘導面３０ｃを有し、この誘導面３０ｃにより、図８に示すように、ロック解除用ボタン３０が白矢印の方向へ押し込まれるにつれてヒンジ側ボタン１５を第１水平ヒンジ軸１３の軸方向（黒矢印で示す）へ押圧するように構成されている。
【００４５】
第１被押圧部３０ａの内面側とベース部１６との間には、ロック解除用ボタン３０を押し戻して第１被押圧部３０ａを元の位置に露出させる押し戻し用付勢部材としての圧縮コイルバネ３２が装着されている。
【００４６】
そして、垂直ヒンジ軸２０には、揺動されてロック解除用ボタン３０を押し込んだ第１の筐体３を元の位置に戻すための引き戻し機構２５が設けられている。具体的には、取付部２４は、第１の筐体３側へ接地される一対の脚部２４ａを有し、左側脚部２４ａは、厚さ方向に折り曲げられ、この折り曲げられた部分に第１バネ取付用貫通孔２４ｂが開口している。同様に揺動軸取付部２２にも第２バネ取付用貫通孔２２ａが開口している。そして、これら第１バネ取付用貫通孔２４ｂ及び第２バネ取付用貫通孔２２ａに引張コイルバネ２６が連結されている。このように構成することにより、第１の筐体３が右側へ揺動すると、引張コイルバネ２６が伸びるので、この引張コイルバネ２６の引張力で第１の筐体３を左側へ引き戻そうとするようになっている。待機時には、第１の筐体３は、引張コイルバネ２６で引っ張られて揺動用テーパ面３ａが第２被押圧部３１ａに押し付けられている。
【００４７】
−作動−
次に、本実施形態にかかる折畳み式携帯電話機１の作動について説明する。
【００４８】
携帯時などの待機時には、図１、図４及び図６に示すように、傷が入りやすい表示部２を内側にして第１の筐体３が第２の筐体５に対して閉じられた状態にある。このとき、ロック解除用ボタン３０は、ヒンジ部６と揺動用テーパ面３ａとの間に第１被押圧部３０ａのみが露出しているので、従来のようにヒンジ部６の側面に露出する場合に比べて外観がよい。また、揺動用テーパ面３ａを設けることで、第１の筐体３が揺動するスペースが確保され、さらに、左右対称に揺動用テーパ面３ａとロック解除用ボタン３０又はダミーボタン３１を設けることで見映えがよくなっている。
【００４９】
また、引き戻し機構２５の引張コイルバネ２６の引張力を調整し、待機時に適度な力で揺動用テーパ面３ａを第２被押圧部３１ａに押し付けることで、軽い衝撃のみで第１の筐体３が揺動してロック解除用ボタン３０が押されるという誤動作が防止される。引張コイルバネ２６は、伸縮動作しか行わないので、必要とするスペースが小さく、コイル数を増やしても、コイルの外径を大きくしない限り第１の筐体３の厚さは変わらないので、厚さを抑えながら引張力を強くすることが可能となる。
【００５０】
そして、使用時に第１の筐体３と第２の筐体５とを開く場合には、図５及び図７に矢印で示すように、第１の筐体３を右側へ揺動させる。このとき、ロック解除用ボタン３０を押圧するように第１の筐体３が揺動させればよいので、第１の筐体３のどの部分を押してもよい。このため、従来のようにヒンジ部６に設けたロック解除用ボタン３０を手探りして操作するのに比べて開操作が極めて容易である。
【００５１】
このとき、ユーザが第１の筐体３を中央位置から左側へ揺動させようとしても、ダミーボタン３１自体は押し込まれないので、第１の筐体３の揺動方向を操作し間違えることはない。
【００５２】
第１の筐体３を右側へ揺動させる力が引張コイルバネ２６の引張力を越えると、図８に示すように、第１被押圧部３０ａがヒンジ側ボタン１５の押圧方向（白矢印の方向）と垂直（黒矢印の方向）に押し進められる。このとき、第１被押圧部３０ａの進行方向がヒンジ側ボタン１５の押圧方向と違っていても、押圧用テーパ部３０ｂの作用により確実にヒンジ側ボタン１５が押し込まれる。
【００５３】
さらに第１の筐体３を揺動させてヒンジ側ボタン１５が所定量以上押し込まれると、開操作補助用付勢機構のロックが解除され、第１の筐体３が第２の筐体５に対して一気に押し開かれる。このように、使用時には第１の筐体３を揺動させるだけで第１の筐体３が第２の筐体５に対して開くので、非常に使い勝手がよい。
【００５４】
そして、第１の筐体３が押し開かれるときには、引き戻し機構２５と圧縮コイルバネ３２により、第１の筐体３が元の左右中央位置に戻るので、引き戻し操作が不要となる。
【００５５】
−実施形態の効果−
したがって、本実施形態にかかる折畳み式携帯電話機１によると、第１の筐体３を揺動軸２３に対して揺動可能に支持し、右側の外側ボス部１０にロック解除用ボタン３０を設け、第１の筐体３を揺動させたときに、揺動用テーパ面３ａでロック解除用ボタン３０を押して第１水平ヒンジ軸１３のロックを解除して第１の筐体３と第２の筐体５とを開くようにしたことにより、簡単に開き操作が行えると共に、開き操作を行うロック解除用ボタン３０ができるだけ外観に露出しないようにして見映えをよくすることができる。
【００５６】
（その他の実施形態）
本発明は、上記実施形態について、以下のような構成としてもよい。
【００５７】
すなわち、上記実施形態では、第１の筐体３は、ヒンジ部６に対して表裏反転可能としたが、表裏反転不能に構成してもよい。この場合には、垂直ヒンジ軸２０を回動不能とし、回動規制部材１９と突起２１ａは設けなくてもよい。
【００５８】
なお、以上の実施形態は、本質的に好ましい例示であって、本発明、その適用物や用途の範囲を制限することを意図するものではない。
【図面の簡単な説明】
【００５９】
【図１】本発明の実施形態にかかる折畳み式携帯電話機の閉じた状態を示す斜視図である。
【図２】折畳み式携帯電話機開いた状態を示す斜視図である。
【図３】折畳み式携帯電話機を開いた状態で、第１の筐体を表裏反転させる様子を示す斜視図である。
【図４】折畳み式携帯電話機の閉じた状態を示す正面図である。
【図５】折畳み式携帯電話機の閉じた状態から第１の筐体を揺動させる様子を示す正面図である。
【図６】ヒンジユニット及びその周辺を見えるようにした図４相当図である。
【図７】ヒンジユニット及びその周辺を見えるようにした図５相当図である。
【図８】ヒンジユニット及びその周辺を拡大して示す斜視図である。
【符号の説明】
【００６０】
１      折畳み式携帯電話機（折畳み式携帯端末）
２      表示部
３      第１の筐体
３ａ    揺動用テーパ面
４      操作部
５      第２の筐体
６      ヒンジ部
１０      外側ボス部
１１      内側ボス部
１３      第１水平ヒンジ軸
１５      ヒンジ側ボタン
１７      第２水平ヒンジ軸
２０      垂直ヒンジ軸
２３      揺動軸
２５      引き戻し機構
２６      引張コイルバネ
３０      ロック解除用ボタン
３０ａ    第１被押圧部
３０ｂ    押圧用テーパ部
３１      ダミーボタン
３２      圧縮コイルバネ（押し戻し用付勢部材）
【図１】
2010103889.tif 000003
【図２】
2010103889.tif 000004
【図３】
2010103889.tif 000005
【図４】
2010103889.tif 000006
【図５】
2010103889.tif 000007
【図６】
2010103889.tif 000008
【図７】
2010103889.tif 000009
【図８】
2010103889.tif 000010